(57)【要約】    【課題】  高ズーム比で、広角端から望遠端における全ズーム範囲にわたり色収差を良好に補正し、全ズーム範囲において高い光学性能を有するズームレンズを得ること。    【解決手段】  物体側から像側へ順に、ズーミングに際して不動の正の屈折力の第１レンズ群と、ズーミングに際して、移動する負の屈折力の第２レンズ群と、該第２レンズ群の移動に連動して光軸上を移動する正の屈折力の第３レンズ群と、ズーミングに際して不動の正の屈折力の第４レンズ群と、を有するズームレンズであって、  該第２レンズ群は少なくとも１つの正レンズと少なくとも１つの負レンズを有しており、  該第２レンズ群を構成する負レンズの材料のアッベ数νと部分分散比θの平均値νｎａ、θｎａ、該第２レンズ群を構成する正レンズの材料のアッベ数νと部分分散比θの平均値νｐａ、θｐａを各々適切に設定すること。【選択図】    図１
2010091788.tif 000002
【特許請求の範囲】
【請求項１】
物体側から像側へ順に、ズーミングに際して不動の正の屈折力の第１レンズ群と、ズーミングに際して、移動する負の屈折力の第２レンズ群と、該第２レンズ群の移動に連動して光軸上を移動する正の屈折力の第３レンズ群と、ズーミングに際して不動の正の屈折力の第４レンズ群と、を有するズームレンズであって、
該第２レンズ群は少なくとも１つの正レンズと少なくとも１つの負レンズを有しており、
該第２レンズ群を構成する負レンズの材料のアッベ数νと部分分散比θの平均値を各々νｎａ、θｎａ、該第２レンズ群を構成する正レンズの材料のアッベ数νと部分分散比θの平均値を各々νｐａ、θｐａとするとき、
（θｐａ−θｎａ）／（νｐａ−νｎａ）  ＜−３．７×１０−３
なる条件を満足することを特徴とするズームレンズ。
【請求項２】
前記第２レンズ群に含まれるレンズのうち、材料のアッベ数がもっとも小さい負レンズの焦点距離、材料のアッベ数と部分分散比をｆ２ｎ、νｎ、θｎとし、材料のアッベ数がもっとも大きい正レンズの焦点距離、材料のアッベ数と部分分散比をｆ２ｐ、νｐ、θｐとするとき、
（θｐ−θｎ）／（νｐ−νｎ）＜−５．０×１０−３
−２．０＜（１／ｆ２）／（１／ｆ２ｐ−１／ｆ２ｎ）＜−０．２
なる条件を満足することを特徴とする請求項１のズームレンズ。
【請求項３】
前記第２レンズ群に含まれる正レンズの屈折力の合計値をφｐ、該第２レンズ群に含まれる負レンズの屈折力の合計値をφｎ、第２レンズ群の屈折力をφ２とするとき、
φｐ／φ２＜−０．５
φｎ／φ２＞１．５
なる条件を満足することを特徴とする請求項１又は２のズームレンズ。
【請求項４】
前記第２レンズ群は物体側から像側へ順に、物体側の面が凸でメニスカス形状の負レンズ、両凹形状の負レンズ、両凸形状の正レンズ、物体側の面が凹形状の負レンズで構成されることを特徴とする請求項１、２又は３のズームレンズ。
【請求項５】
前記第１レンズ群の焦点距離をｆ１、前記第２レンズ群の焦点距離をｆ２とするとき、
９．５＜｜ｆ１／ｆ２｜＜１１
なる条件を満足することを特徴とする請求項１乃至４のいずれか１項のズームレンズ。
【請求項６】
前記第１レンズ群の焦点距離をｆ１、前記ズームレンズの望遠端における焦点距離をｆｔｅｌｅとするとき、
３．９＜ｆｔｅｌｅ／ｆ１＜６
なる条件を満足することを特徴とする請求項１乃至５のいずれか１項のズームレンズ。
【請求項７】
前記第１レンズ群の焦点距離をｆ１、前記ズームレンズの広角端における焦点距離をｆｗｉｄｅとするとき、
２５＜ｆ１／ｆｗｉｄｅ＜３０
なる条件を満足することを特徴とする請求項１乃至６のいずれか１項のズームレンズ。
【請求項８】
前記第２レンズ群は物体側から像側へ順に、像側が凹形状の負レンズ、両凹形状の負レンズと両凸形状の正レンズとを接合した接合レンズ、物体側が凹形状の負レンズより構成されることを特徴とする請求項１乃至３のいずれか１項のズームレンズ。
【請求項９】
請求項１乃至８のいずれか１項のズームレンズと、該ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、大口径比、高ズーム比でしかも高い光学性能を有したズームレンズが要望されている。
【０００３】
大口径比、高ズーム比のズームレンズとして、最も物体側に正の屈折力のレンズ群を配置し、全体として４つのレンズ群より成るポジティブリード型の４群ズームレンズが知られている。
【０００４】
この４群ズームレンズとして、物体側から像側へ順に合焦用の第１レンズ群、変倍用の負の屈折力の第２レンズ群、変倍に伴う像面変動を補正するための正の屈折力の第３レンズ群、結像用の正の屈折力の第４レンズ群が知られている。
【０００５】
このタイプの４群ズームレンズにおいて、高ズーム比化を図った４群ズームレンズが知られている（特許文献１〜３）。
【０００６】
又、この４群ズームレンズにおいて、異常分散性の材料より成るレンズを用いて色収差を補正した４群ズームレンズが知られている（特許文献４、５）。
【０００７】
特許文献１、２では、ズーム比９６程度の高ズーム比のズームレンズを開示している。
【０００８】
特許文献３では、ズーム比５０程度の高ズーム比のズームレンズを開示している。
【０００９】
特許文献４、５では、高ズーム比で色収差を良好に補正した高解像力のズームレンズを開示している。
【特許文献１】特開２００４−２６４４５８号公報
【特許文献２】特開２００４−２６４４５９号公報
【特許文献３】特開２００８−４０３９５号公報
【特許文献４】特開２００１−１９４５９０号公報
【特許文献５】特開２００２−６２４７８号公報
【発明の開示】
【発明が解決しようとする課題】
【００１０】
前述したポジティブリード型の４群ズームレンズは大口径比、高ズーム比が比較的容易である。
【００１１】
しかしながらズーム比が１００倍程度の高ズーム比になると、諸収差の変動が多くなり、全ズーム領域で高い光学性能を得るのが難しくなってくる。
【００１２】
特に望遠側のズーム位置では倍率色収差及び軸上色収差が多く発生してくる。そのため色収差として一次スペクトルのみならず、二次スペクトルでの補正を良好に行うことが高画質な像性能を得るために重要になっている。
【００１３】
ポジティブリード型の４群ズームレンズにおいて、ズーム比１００程度の高ズーム比化を図りつつ、色収差を良好に補正し、高い光学性能を得るには変倍用の第２レンズ群のレンズ構成を、適切に設定することが重要な要素になっている。
【００１４】
この第２レンズ群のレンズ構成が適切でないと、ズーミングによる収差変動、例えば、色収差、球面収差、ハロコマ収差、球面収差の色差等の変動が多くなり、高ズーム比で高性能化を図るのが困難となる。
【００１５】
特にズーム比１００程度の高ズーム比化を図ったとき、望遠端において軸上色収差が増大し、更に２次スペクトルの残存収差等が多くなり、これらを良好に補正するのが困難となる。
【００１６】
本発明は、高ズーム比で、広角端から望遠端における全ズーム範囲にわたり色収差を良好に補正し、全ズーム範囲において高い光学性能を有するズームレンズ及びそれを有する撮像装置の提供を目的とする。
【課題を解決するための手段】
【００１７】
本発明のズームレンズは、物体側から像側へ順に、ズーミングに際して不動の正の屈折力の第１レンズ群と、ズーミングに際して、移動する負の屈折力の第２レンズ群と、該第２レンズ群の移動に連動して光軸上を移動する正の屈折力の第３レンズ群と、ズーミングに際して不動の正の屈折力の第４レンズ群と、を有するズームレンズであって、
該第２レンズ群は少なくとも１つの正レンズと少なくとも１つの負レンズを有しており、
該第２レンズ群を構成する負レンズの材料のアッベ数νと部分分散比θの平均値を各々νｎａ、θｎａ、該第２レンズ群を構成する正レンズの材料のアッベ数νと部分分散比θの平均値を各々νｐａ、θｐａとするとき、
（θｐａ−θｎａ）／（νｐａ−νｎａ）  ＜−３．７×１０−３
なる条件を満足することを特徴としている。
【発明の効果】
【００１８】
本発明によれば、高ズーム比で、広角端から望遠端における全ズーム範囲にわたり色収差を良好に補正し、全ズーム範囲において高い光学性能を有するズームレンズが得られる。
【発明を実施するための最良の形態】
【００１９】
以下、本発明のズームレンズ及びそれを有する撮像装置の実施例について説明する。
【００２０】
本発明のズームレンズは、物体側から像側へ順に、合焦用の正の屈折力の第１レンズ群（フォーカスレンズ群）Ｕ１を有している。更に、広角端（短焦点距離端）から望遠端（長焦点距離端）へのズーミングに際して、像側へ移動する変倍用の負の屈折力の第２レンズ群（バリエータ）Ｕ２を有している。更に、第２群レンズ群Ｕ２の移動に連動して光軸上を非直線的に移動（し、変倍に伴う像面変動を補正）する正の屈折力の第３レンズ群（コンペンセーター）Ｕ３を有している。更に、ズーミングに際して不動の結像作用をする正の屈折力の第４レンズ群（リレーレンズ群）Ｕ４を有している。
【００２１】
第２レンズ群Ｕ２と第３レンズ群Ｕ３とで変倍系を構成している。
【００２２】
図１は本発明の実施例１（数値実施例１）であるズームレンズの広角端で無限遠物体に合焦しているときのレンズ断面図である。図２、図３、図４は、数値実施例１の広角端、焦点距離３５７ｍｍ、望遠端における縦収差図である。
【００２３】
但し、焦点距離の値は、後述する数値実施例をｍｍ単位で表したときの値である。これは以下の各実施例において、全て同じである。
【００２４】
図５は本発明の実施例２（数値実施例２）であるズームレンズの広角端で無限遠物体に合焦しているときのレンズ断面図である。図６、図７、図８は、数値実施例２の広角端、点距離３５７ｍｍ、望遠端における縦収差図である。
【００２５】
図９は本発明の実施例３（数値実施例３）であるズームレンズの広角端で無限遠物体に合焦しているときのレンズ断面図である。図１０、図１１、図１２は、数値実施例３の広角端、焦点距離３５７ｍｍ、望遠端における縦収差図である。
【００２６】
図１３は本発明の実施例４（数値実施例４）であるズームレンズの広角端で無限遠物体に合焦しているときのレンズ断面図である。図１４、図１５、図１６は、数値実施例４の広角端、焦点距離３５７ｍｍ、望遠端における縦収差図である。
【００２７】
実施例４はズーム比１２０のズームレンズである。
【００２８】
図１７は本発明の実施例５（数値実施例５）であるズームレンズの広角端で無限遠物体に合焦しているときのレンズ断面図である。図１８、図１９、図２０は、数値実施例５の広角端、焦点距離３５７ｍｍ、望遠端における縦収差図である。
【００２９】
実施例５はズーム比１２０のズームレンズである。
【００３０】
図２１は、正の屈折力のレンズ群による２色の色消しと二次スペクトル残存に関する模式図である。図２２は負の屈折力のレンズ群の２色の色消しと二次スペクトル残存に関する模式図である。
【００３１】
図２３は現存する光学材料のアッベ数νと部分分散比θの分布の模式図である。
【００３２】
図２４は本発明の撮像装置の概略図である。
【００３３】
各実施例のレンズ断面図において、Ｕ１はズーミングに際して不動の正の屈折力の第１レンズ群である。
【００３４】
図２５は本発明の実施例１（数値実施例１）であるズームレンズの広角端で無限遠物体に合焦しているときの光路図である。
【００３５】
図２６は本発明の実施例１（数値実施例１）であるズームレンズの望遠端で無限遠物体に合焦しているときの光路図である。
【００３６】
第１レンズ群Ｕ１は、全体を移動することにより、フォーカスを行っている。
【００３７】
Ｕ２はズーミング時に可動の負の屈折力の第２レンズ群（バリエータレンズ群）である。Ｕ３はズーミング時に可動であり、変倍に伴う像面位置の変動を補正する正の屈折力の第３レンズ群（コンベンセーターレンズ群）である。
【００３８】
第３レンズ群Ｕ３は、広角端から望遠端への変倍に際して、第２群レンズ群の移動に連動して光軸上を移動して、変倍に伴う像面変動を補正している。
【００３９】
ＳＰは開口絞りであり、第３レンズ群Ｕ３の像側に配置されている。Ｕ４は結像のための正の屈折力の第４レンズ群（リレーレンズ群）である。Ｐは色分解プリズムや光学フィルターであり、硝子ブロックとして示している。ＩＰは像面であり、固体撮像素子（光電変換素子）の撮像面に相当している。
【００４０】
収差図において、球面収差は、ｇ線（二点鎖線）とｅ線（実線）とＣ線（一点鎖線）を示している。非点収差はｅ線のメリディオナル像面（ｍｅｒｉ）（点線）とｅ線のサジタル像面（ｓａｇｉ）（実線）を示している。倍率色収差はｇ線（二点鎖線）とＣ線（一点鎖線）によってあらわしている。ＦｎｏはＦナンバー、ωは半画角である。
【００４１】
すべての収差図において、球面収差は０．４ｍｍ、非点収差は０．４ｍｍ、歪曲は５％、倍率色収差は、０．０５ｍｍのスケールで描かれている。
【００４２】
尚、以下の各実施例において広角端と望遠端は変倍用の第２レンズ群Ｕ２が機構上光軸上を移動可能な範囲の両端に位置したときのズーム位置をいう。
【００４３】
次に各実施例の特徴について説明する。
【００４４】
各実施例のズームレンズは、物体側から像側へ順に、ズーミングに際して不動の正の屈折力の第１レンズ群と、ズーミングに際して、移動する負の屈折力の第２レンズ群を有している。更に第２レンズ群の移動に連動して光軸上を移動し、変倍に伴う像面変動を補正する正の屈折力の第３レンズ群と、ズーミングに際して不動の結像作用をする正の屈折力の第４レンズ群と、を有している。
【００４５】
第２レンズ群Ｕ２は少なくとも１つの正レンズと少なくとも１つの負レンズを有している。
【００４６】
第２レンズ群Ｕ２を構成する負レンズの材料のアッベ数νと部分分散比θの平均値を各々νｎａ、θｎａとする。第２レンズ群Ｕ２を構成する正レンズの材料のアッベ数νと部分分散比θの平均値を各々νｐａ、θｐａとする。このとき、
（θｐａ−θｎａ）／（νｐａ−νｎａ）  ＜−３．７×１０−３  ・・・（１）
なる条件を満足している。
【００４７】
ここで、本実施例で用いている光学素子（レンズ）の材料の部分分散比とアッベ数は次のとおりである。
【００４８】
フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。
【００４９】
アッベ数νｄ、ｇ線とＦ線に関する部分分散比θｇＦは次のとおりである。
【００５０】
νｄ＝（Ｎｄ−１）／（ＮＦ−ＮＣ）        ・・・（９）
θｇＦ＝（Ｎｇ−ＮＦ）／（ＮＦ−ＮＣ）  ・・・（１０）
各実施例では、第２レンズ群Ｕ２のレンズ構成を前述の如く特定し、かつ条件式（１）を満足するようにして色消しを効果的に行っている。
【００５１】
図２３にアッベ数νｄと部分分数比θｇＦとの関係を示すように、現存する光学材料はアッベ数νｄに対し部分分散比θｇＦが狭い範囲に分布している。アッベ数νｄが小さいほど部分分散比θｇＦが大きくなる傾向を持っている。
【００５２】
いま、屈折力φ１、φ２、アッベ数ν１、ν２の２枚のレンズＧ１、Ｇ２で構成される薄肉密着系の色収差補正条件は、
φ１／ν１＋φ２／ν２＝Ｅ              ・・・（１１）
であらわされる。ここで、合成の屈折力φは、
φ＝φ１＋φ２                          ・・・（１２）
である。３枚以上で構成される場合も同様に考えることができる。
【００５３】
（１１）式において、Ｅ＝０とすると色収差においてＣ線とＦ線の光の結像位置が合致する。特に高倍率のズームレンズでは、変倍に伴う色収差変動を抑制するために、各レンズ群の色収差、すなわちＥが概ねゼロ近傍となるように補正される。
【００５４】
図２１において、正の屈折力のレンズ群ＬＰでの色消しでは正レンズＧ１としてアッベ数ν１の大きな材料、負レンズＧ２としてアッベ数ν２の小さな材料を用いる。したがって図２３より正レンズＧ１は部分分散比θ１が小さく、負レンズは部分分散比θ２が大きくなって、Ｆ線とＣ線で色収差を補正するとｇ線の結像点が像側にずれる。物体距離を無限遠として光束を入射した場合のずれ量を二次スペクトル量Δとして定義すると、
Δ＝−（１／φ）・（θ１−θ２）／（ν１−ν２）        ・・・（１３）
であらわされる。
【００５５】
図２５に本実施例の広角端の光路図を、図２６に本実施例の望遠端の光路図を示す。二次スペクトル量Δは、本実施例の４群ズームレンズでは屈折力が小さく、望遠側において軸上マージナル光線が高い位置を通る第１レンズ群で顕著に発生する。
【００５６】
図２２において、負の屈折力のレンズ群ＬＮの色消しでは負レンズＧ１としてアッベ数ν１の大きな材料、正レンズＧ２としてアッベ数ν２の小さな材料を用いる。
【００５７】
したがって図２３に示すように、Ｆ線とＣ線で色収差を補正すると、ｇ線の結像点が物体側にずれ、二次スペクトル量Δは負となる。この現象は本実施例の４群ズームレンズでは負の屈折力の第２レンズ群で発生する。ここで第２・第３・第４レンズ群の結像倍率を順にβ２、β３、β４とすると、
Δ＝（−１／φ１）・Δ１・β２２・β３２・β４２
＋（−１／φ２）・Δ２・（β２−１）２・β３２・β４２
＋（−１／φ３）・Δ３・（β３−１）２・β４２
＋（−１／φ４）・Δ４・（β４−１）２                ・・・（１４）
となる。
【００５８】
したがって、（１４）式における第１項は負、第２項は正となって、第２レンズ群において二次スペクトル量Δ２の絶対値を増大させることにより、第１レンズ群で発生した軸上色収差の二次スペクトル量Δ１を効果的に補正することができる。
【００５９】
さらに二次スペクトル量Δ１の残存許容量が増大することにより、第１レンズ群の正レンズと負レンズの材料のアッベ数の差を大きくして各構成レンズの屈折力を小さくすることが可能となって、第１レンズ群の全厚をより小さくすることができる。
【００６０】
条件式（１）は以上の点を考慮して、第２レンズ群Ｕ２を構成する正レンズと負レンズの材料のアッベ数と部分分散比を設定したものである。
【００６１】
条件式（１）の上限を越えると、第２レンズ群Ｕ２による二次スペクトルの補正効果が不足してしまい、望遠端において軸上色収差を良好に補正することが困難となってくるので良くない。
【００６２】
更に好ましくは条件式（１）の上限値を次の如く設定するのが良い。
【００６３】
（θｐａ−θｎａ）／（νｐａ−νｎａ）＜−３．７２×１０−３  ・・・（１ａ）
また、この条件式（１）は、以下の条件式（１ｂ）を満足すると尚好ましい。
【００６４】
−１０．００×１０−３（更に好ましくは−６.５０×１０−３）＜（θｐａ−θｎａ）／（νｐａ−νｎａ）  ・・・（１ｂ）
各実施例では、以上のように構成することによって、１００倍又はそれ以上の高倍率（高ズーム比）を確保しながらレンズ全長（第１レンズ面から像面までの距離、光学全長ともいう）を短縮している。そして望遠端において軸上色収差を良好に補正した高い光学性能を達成している。
【００６５】
各実施例において、更に好ましくは次の諸条件のうちの１以上を満足するのが良い。
【００６６】
第２レンズ群Ｕ２に含まれるレンズのうち、材料のアッベ数がもっとも小さい負レンズの焦点距離、材料のアッベ数と部分分散比をｆ２ｎ、νｎ、θｎとする。
【００６７】
また第２レンズ群Ｕ２に含まれるレンズのうち材料のアッベ数がもっとも大きい正レンズの焦点距離、材料のアッベ数と部分分散比をｆ２ｐ、νｐ、θｐとする。
【００６８】
第２レンズ群Ｕ２に含まれる正レンズの屈折力の合計値をφｐとする。第２レンズ群Ｕ２に含まれる負レンズの屈折力の合計値をφｎとする。第２レンズ群Ｕ２の屈折力をφ２とする。
【００６９】
第１レンズ群Ｕ１の焦点距離をｆ１、第２レンズ群Ｕ２の焦点距離をｆ２とする。
【００７０】
ズームレンズの望遠端における焦点距離をｆｔｅｌｅとする。ズームレンズの広角端における焦点距離をｆｗｉｄｅとする。
【００７１】
このとき
（θｐ−θｎ）／（νｐ−νｎ）＜−５．０×１０−３    ・・・（２）
−２．０＜（１／ｆ２）／（１／ｆ２ｐ−１／ｆ２ｎ）＜−０．２  ・・・（３）
φｐ／φ２＜−０．５            ・・・（４）
φｎ／φ２＞１．５              ・・・（５）
９．５＜｜ｆ１／ｆ２｜＜１１    ・・・（６）
３．９＜ｆｔｅｌｅ／ｆ１＜６    ・・・（７）
２５＜ｆ１／ｆｗｉｄｅ＜３０    ・・・（８）
なる条件のうち１以上を満足するのが良い。
【００７２】
条件式（２）は、第２レンズ群Ｕ２を構成するレンズのうち、特に第２レンズ群Ｕ２における二次スペクトル発生に効果的な正レンズと負レンズの材料のアッベ数および部分分散比の条件を規定している。条件式（２）を満足することにより、望遠端における軸上色収差を効果的に補正している。
【００７３】
条件式（２）の上限を越えると、第２レンズ群Ｕ２による二次スペクトルの補正効果が不足してしまい、高倍率化（高ズーム比化）を達成しながら望遠端において軸上色収差を良好に補正することが困難となってくる。
【００７４】
条件式（３）は、第２レンズ群Ｕ２全体の屈折力と、第２レンズ群Ｕ２に含まれる正レンズと負レンズの屈折力との比を規定している。
【００７５】
条件式（３）の下限を越えると、第２レンズ群Ｕ２における正レンズと負レンズによる二次スペクトルの補正効果が不足してしまい、高倍率化（高ズーム比化）を達成しながら望遠端において軸上色収差を良好に補正することが困難となってくる。
【００７６】
条件式（４）は、第２レンズ群Ｕ２全体の屈折力に対する、第２レンズ群Ｕ２内の正レンズの屈折力の比を規定している。
【００７７】
条件式（５）は第２レンズ群Ｕ２全体の屈折力に対する第２レンズ群Ｕ２内の負レンズの屈折力の比を規定している。
【００７８】
条件式（４）の上限および条件式（５）の下限を超えると、第２レンズ群Ｕ２における正レンズと負レンズによる二次スペクトルの補正効果が不足してしまう。この結果、高倍率化（高ズーム比化）を達成しながら望遠端において軸上色収差を良好に補正することが困難となってくる。
【００７９】
条件式（６）は、第１レンズ群Ｕ１の焦点距離と第２レンズ群Ｕ２の焦点距離の比を規定するものである。条件式（６）を満足することにより、軸上色収差を良好に補正しながら変倍に伴う移動レンズ群のストロークを低減し、１００倍以上の高倍率化（高ズーム比化）を達成しながらレンズ全長を短縮している。
【００８０】
条件式（６）の下限を超えると変倍による移動レンズ群のストロークが増大して全系が大型化してしまう。
【００８１】
条件式（６）の上限を超えると小型化には有利であるが、変倍（ズーミング）に伴う収差変動が増大する。
【００８２】
条件式（７）は、望遠端の焦点距離と第１レンズ群Ｕ１の焦点距離の比を規定することにより、高倍率化（高ズーム比化）を達成しながら軸上色収差を良好に補正している。
【００８３】
条件式（７）の下限を超えると第１レンズ群Ｕ１の焦点距離が増大して、１００倍以上の高倍率化（高ズーム比化）と全系の小型化を図るのが困難となってくる。
【００８４】
条件式（７）の上限を超えると全系の小型化には有利であるが、望遠端における光学性能、特に軸上色収差を良好に補正することが困難となってくる。
【００８５】
条件式（８）は、第１レンズ群Ｕ１の焦点距離と広角端における焦点距離の比を規定している。
【００８６】
条件式（８）の下限を超えると全系の小型化には有利であるが、広角端において広画角化が困難となってくる。
【００８７】
条件式（８）の上限を超えると広角端において広画角化には有利であるが、第１レンズ群Ｕ１の有効径が増大し全系の小型化が困難となってくる。
【００８８】
更に好ましくは条件式（２）〜条件式（８）の数値を次の如く設定するのが良い。
【００８９】
（θｐ−θｎ）／（νｐ−νｎ）＜−５．１×１０−３    ・・・（２ａ）
−１．５＜（１／ｆ２）／（１／ｆ２ｐ−１／ｆ２ｎ）＜−０．５  ・・・（３ａ）
φｐ／φ２＜−０．６                  ・・・（４ａ）
φｎ／φ２＞１．５５                  ・・・（５ａ）
９．５１＜｜ｆ１／ｆ２｜＜１０．９０  ・・・（６ａ）
３．９＜ｆｔｅｌｅ／ｆ１＜５．５      ・・・（７ａ）
２５＜ｆ１／ｆｗｉｄｅ＜２９          ・・・（８ａ）
また、更に好ましくは、条件式（２）、（４）、（５）は、それぞれ以下の条件式（２ｂ）、（４ｂ）、（５ｂ）を満足すると良い。
【００９０】
−１０.２０×１０−３（更に好ましくは−７.６０×１０−３）＜（θｐ−θｎ）／（νｐ−νｎ）    ・・・（２ｂ）
−１０.５０（更に好ましくは−７.７５）＜φｐ／φ２  ・・・（４ｂ）
２．５（更に好ましくは１．７２）＞φｎ／φ２  ・・・（５ｂ）
次に各実施例のズームレンズのレンズ構成の特徴のうち、前述した以外の特徴について説明する。
【００９１】
各実施例のズームレンズは、以下物体側から像側へ順に、第１レンズ群Ｕ１は像側が凹形状の負レンズ、物体側が凸形状の３つの正レンズ、物体側が凸でメニスカス形状の正レンズの５つのレンズより成っている。
【００９２】
第２レンズ群Ｕ２は、像側が凹形状の負レンズ、両凹形状の負レンズと物体側が凸形状の正レンズとを接合した接合レンズ、物体側が凹形状の負レンズの４つのレンズより成っている。
【００９３】
又は、第２レンズ群Ｕ２は像側が凹形状の負レンズ、両凹形状の負レンズと両凸形状の正レンズとを接合した接合レンズ、物体側が凹形状の負レンズの４つのレンズより成っている。
【００９４】
第３レンズ群Ｕ３は、物体側が凸面の２つの正レンズ、負レンズと正レンズとを接合した接合レンズ、正レンズの５つのレンズより成っている。
【００９５】
第４レンズ群Ｕ４は、正レンズと負レンズを含む全体として１２個のレンズより成っている。
【００９６】
図２４は各実施例のズームレンズを撮影光学系として用いた撮像装置（テレビカメラシステム）の要部概略図である。図２４において１０１は実施例１〜５のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【００９７】
ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺは変倍の為に光軸上を移動する第２レンズ群と、変倍に伴う像面変動を補正する為に光軸上を移動する第３レンズ群が含まれている。
【００９８】
ＳＰは開口絞りである。第４レンズ群Ｒは光路中より挿抜可能なレンズユニットＩＥを有している。
【００９９】
レンズユニットＩＥはズームレンズ１０１の全系の焦点距離範囲を変移している。尚、レンズユニットＩＥを有していなくても良い。
【０１００】
１１４、１１５は、各々第１レンズ群Ｆ、変倍部ＬＺを光軸方向に駆動するヘリコイドやカム等の駆動機構である。
【０１０１】
１１６〜１１８は駆動機構１１４、１１５及び開口絞りＳＰを電動駆動するモータ（駆動手段）である。
【０１０２】
１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。
【０１０３】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【０１０４】
また、１１１、１２２はカメラ１２４及びズームレンズ本体１０１の各種の駆動を制御するＣＰＵである。
【０１０５】
このように本発明のズームレンズをテレビカメラに適用することにより、高い光学性能を有する撮像装置を実現している。
【０１０６】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。
【０１０７】
焦点距離、Ｆナンバー、画角はそれぞれ無限遠物体に焦点を合わせたときの値を表している。ＢＦは空気換算のバックフォーカスである。
【０１０８】
最後の３つの面は、フィルター等のガラスブロックである。
【０１０９】
非球面形状は光軸方向にＸ軸、光軸と垂直方向にＨ軸、光の進行方向を正とし、Ｒを近軸曲率半径、ｋを円錐常数、Ａ４、Ａ６、Ａ８をそれぞれ非球面係数としたとき、次式で表している。
【０１１０】
【数１】
2010091788.tif 000003
【０１１１】
で表される。又、例えば「ｅ−Ｚ」は「×１０-Z」を意味する。
【０１１２】
［数値実施例１］
面番号     r        d      nd         νd   有効径   θgF   焦点距離
1     7000.000    6.00   1.83400    37.2  195.69   0.5775  -433.032
2      345.379    2.00                    189.57 
3      345.379   25.91   1.43387    95.1  190.61   0.5373   484.173
4     -527.375   20.74                    191.16 
5      331.921   18.73   1.43387    95.1  193.34   0.5373   706.637
6    -4082.422    0.25                    192.86 
7      264.903   19.29   1.43387    95.1  188.46   0.5373   652.508
8     3887.712    0.25                    187.25 
9      171.964   16.12   1.43875    95.0  174.67   0.5342   716.251
10      367.798  (可変)                     172.80 
11     1547.347    2.00   2.00330    28.3   42.77   0.5980   -44.235
12       43.467    8.24                     37.79 
13      -55.129    2.00   1.88300    40.8   37.77   0.5667   -32.903
14       63.246    9.63   1.92286    18.9   41.36   0.6495    35.902
15      -66.171    1.02                     42.37 
16      -59.413    2.00   1.77250    49.6   42.43   0.5521   -74.892
17*    2736.384  (可変)                     44.72 
18      108.766   12.13   1.56907    71.3   81.41   0.5451   185.041
19*   -3543.181    0.20                     81.81 
20      100.674   13.34   1.49700    81.5   83.34   0.5375   174.573
21     -613.181    0.20                     82.78 
22      103.700    2.50   1.84666    23.8   79.37   0.6205  -171.939
23       60.132   20.33   1.43875    95.0   74.98   0.5342   113.871
24     -268.844    0.20                     73.52 
25*     201.189    5.73   1.43875    95.0   71.02   0.5342   373.651
26     -889.802  (可変)                     69.63 
27(絞り)    ∞     1.42                     32.62 
28      823.159    1.40   1.81600    46.6   31.65   0.5568   -39.032
29       30.790    0.20                     29.87 
30       28.600    5.57   1.84666    23.8   30.03   0.6205    54.549
31       67.298    8.49                     28.84 
32      -43.101    1.40   1.88300    40.8   26.96   0.5667  -112.782
33      -76.811    2.57                     27.22 
34      -55.688    1.80   1.75500    52.3   26.99   0.5476   -44.475
35       86.743    3.44   1.84666    23.8   27.69   0.6205   144.468
36      285.970    3.03                     28.03 
37        ∞      16.48   1.62041    60.3   28.90   0.5426   171.230
38     -106.653    6.47                     31.93 
39      162.243    7.42   1.48749    70.2   33.07   0.5300    67.989
40      -41.203    0.20                     33.14 
41      -86.425    1.60   1.88300    40.8   32.22   0.5667   -35.445
42      49.948     9.05   1.48749    70.2   32.01   0.5300    51.511
43     -47.820     0.20                     32.49 
44     247.432    9.09    1.56732    42.8   31.95   0.5730    41.084
45     -25.544    1.60    1.88300    40.8   31.50   0.5667   -36.359
46    -125.843    0.20                      32.36 
47      66.747    7.59    1.48749    70.2   32.50   0.5300    61.021
48     -51.977   14.00                      32.08 
49       ∞      33.00    1.60859    46.4   60.00   0.5664     ∞
50       ∞      13.20    1.51633    64.2   60.00   0.5352     ∞
51       ∞                                 60.00 
像面     ∞    
【０１１３】
非球面データ
第17面
K=-2.53234e+004  A 4=-4.13015e-007  A 6=-2.14627e-010  A 8= 2.26588e-013
第19面
K= 5.22565e+003  A 4= 8.81676e-008  A 6= 1.58180e-012  A 8= 6.14872e-015
第25面
K=-9.48244e+000  A 4=-7.57187e-007  A 6=-1.54476e-010  A 8= 2.42122e-014
各種データ
ズーム比    100.00 
広角     中間      望遠
焦点距離        9.30    351.12    930.00  
Fナンバー       1.85      1.85      4.90  
画角           30.60      0.90      0.34  
像高            5.50      5.50      5.50  
レンズ全長    622.39    622.39    622.39  
BF             12.00     12.00     12.00  
d10             3.07    167.22    176.64  
d17           266.10     45.13      1.96  
d26             3.00     59.82     93.57  
入射瞳位置    124.58   3013.28  11114.47  
射出瞳位置    302.09    302.09    302.09  
前側主点位置  134.17   3789.40  15026.00  
後側主点位置    2.70   -339.12   -918.00  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27      49.24       149.41        59.52         17.15
広角端        中間          望遠端
β２   -0.135        -1.196        -2.178
β３   -0.262        -1.116        -1.624
β４    1.105         1.105         1.105
【０１１４】
［数値実施例２］
面データ
面番号      r        d      nd       νd    有効径   θgF    焦点距離
1    -9010.142    6.00   1.80440    39.6   196.06   0.5729  -381.824
2      320.047    2.00                     189.99 
3      313.972   27.24   1.43387    95.1   191.42   0.5373   463.107
4     -547.196   21.28                     192.07 
5      389.595   20.24   1.43387    95.1   195.91   0.5373   657.006
6    -1055.459    0.25                     195.61 
7      302.197   19.44   1.43387    95.1   191.18   0.5373   656.096
8    -5026.813    0.25                     190.12 
9      154.769   16.92   1.43875    95.0   175.10   0.5342   691.925
10      304.398  (可変)                      173.28 
11      950.946    2.00   2.00330    28.3    39.36   0.5980   -43.088
12       41.638    7.75                      36.20 
13      -54.808    2.00   1.88300    40.8    36.26   0.5667   -26.963
14       43.259   10.13   1.92286    18.9    40.12   0.6495    32.746
15      -92.678    1.79                      41.12 
16      -62.313    2.00   1.77250    49.6    41.27   0.5521   -78.452
17*    2714.516  (可変)                       43.70 
18      125.712   11.25   1.56907    71.3    83.84   0.5451   212.853
19*   -3538.914    0.20                      84.63 
20      110.363   14.22   1.49700    81.5    87.82   0.5375   175.252
21     -401.065    0.20                      87.63 
22      106.440    2.50   1.84666    23.8    85.13   0.6205  -175.888
23       61.653   23.18   1.43875    95.0    80.71   0.5342   111.945
24     -216.463    0.20                      79.83 
25*      85.906   11.20   1.43875    95.0    74.90   0.5342   170.195
26     -559.061  (可変)                      73.23 
27(絞り)    ∞      2.35                     32.63 
28     -222.632    1.40   1.81600    46.6    31.19   0.5568   -31.984
29       29.820    0.20                      29.18 
30       27.382    5.69   1.84666    23.8    29.37   0.6205    44.800
31       86.813    7.17                      28.27 
32      -52.648    1.40   1.88300    40.8    26.06   0.5667   -66.197
33     -510.055    3.11                      26.02 
34      -59.931    1.80   1.75500    52.3    25.90   0.5476   -37.509
35       54.857    3.61   1.84666    23.8    26.64   0.6205    94.347
36      166.237    3.03                      26.93 
37          ∞    16.06   1.62041    60.3    27.84   0.5426   172.035
38     -107.155    5.63                      31.15 
39      138.882    7.19   1.48749    70.2    32.52   0.5300    66.785
40      -41.988    0.20                      32.64 
41     -106.918    1.60   1.88300    40.8    31.78   0.5667   -32.013
42       39.004   10.02   1.48749    70.2    31.48   0.5300    42.100
43      -39.946    0.20                      32.07 
44      551.503    8.85   1.56732    42.8    31.45   0.5730    40.405
45      -23.915    1.60   1.88300    40.8    31.08   0.5667   -33.009
46     -133.862    0.20                      32.23 
47       68.903    7.90   1.48749    70.2    32.62   0.5300    55.431
48      -43.023   14.00                      32.41 
49          ∞    33.00   1.60859    46.4    60.00   0.5664     ∞
50          ∞    13.20   1.51633    64.2    60.00   0.5352     ∞
51          ∞                               60.00 
像面        ∞    
【０１１５】
非球面データ
第17面
K=-2.53234e+004  A 4=-2.44954e-007  A 6=-4.12901e-010  A 8= 5.73716e-013
第19面
K= 5.22565e+003  A 4=-2.85777e-009  A 6= 6.05544e-011  A 8= 2.95783e-015
第25面
K= 2.58811e-001  A 4=-9.51474e-007  A 6=-1.34383e-010  A 8= 2.46604e-014
各種データ
ズーム比    100.00 
広角      中間      望遠
焦点距離       9.30    351.12    930.00  
Fナンバー      1.85      1.85      4.90  
画角          30.60      0.90      0.34  
像高           5.50      5.50      5.50  
レンズ全長   626.97    626.97    626.97  
BF            11.99     11.99     11.99  
d10            5.22    171.28    180.92  
d17          255.10     42.07      5.00  
d26            3.00     49.97     77.40  
入射瞳位置   125.45   2886.76   9777.54  
射出瞳位置   233.68    233.68    233.68  
前側主点位置 135.14   3794.02  14609.04  
後側主点位置   2.69   -339.13   -918.01  
ズームレンズ群データ
群  始面    焦点距離  レンズ構成長  前側主点位置  後側主点位置
1    1     237.31       113.61        64.18        -17.84
2   11     -22.00        25.68         4.94        -11.81
3   18      60.00        62.95        20.09        -27.48
4   27      44.21       149.41        56.44         29.64
広角端        中間          望遠端
β２   -0.117        -1.035        -1.895
β３   -0.238        -1.021        -1.479
β４    1.399         1.399         1.399
【０１１６】
［数値実施例３］
面データ
面番号       r        d      nd        νd       有効径   θgF  焦点距離
1       7000.000    6.00   1.83400    37.2      213.61  0.5775 -449.052
2        357.503    2.00                        205.79
3        357.503   29.40   1.43387    95.1      205.38  0.5373  485.048
4       -501.918   22.37                        204.27
5        336.083   17.77   1.43387    95.1      196.11  0.5373  776.526
6       66701.633    0.25                        195.59
7        269.153   19.82   1.43387    95.1      191.51  0.5373  654.885
8       4775.593    0.25                        190.29
9        180.677   15.41   1.43875    95.0      177.89  0.5342  786.874
10        368.154  (可変)                        175.98
11       2480.029    2.00   2.00330    28.3       45.42  0.5980  -45.975
12         45.638    8.92                         40.05
13        -56.112    2.00   1.88300    40.8       39.59  0.5667  -35.474
14         73.053    8.84   1.94595    18.0       40.61  0.6545   37.281
15        -65.772    0.60                         41.51
16        -65.663    2.00   1.88300    40.8       41.54  0.5667  -72.711
17*      3965.269  (可変)                         43.32
18         99.671   14.10   1.56907    71.3       85.55  0.5451  170.117
19*     -3619.474    0.20                         85.60
20         96.176   13.65   1.49700    81.5       85.93  0.5375  193.636
21       25787.680    0.20                         84.86
22        422.158    2.50   1.84666    23.8       83.83  0.6205 -183.820
23        114.219   18.45   1.43875    95.0       81.17  0.5342  147.386
24       -142.520    0.20                         80.02
25*       217.708    4.93   1.43875    95.0       75.65  0.5342  469.490
26      -3985.731  (可変)                         74.31
27(絞り)    ∞       8.52                         36.54
28       -567.828    1.40   1.81600    46.6       31.98  0.5568  -36.016
29         31.195    0.20                         30.48
30         27.263    6.22   1.84666    23.8       30.96  0.6205   41.868
31        102.304    6.91                         29.97
32        -60.794    1.40   1.88300    40.8       27.95  0.5667 -980.787
33        -66.064    2.37                         27.92
34        -45.875    1.80   1.75500    52.3       27.12  0.5476  -62.063
35      -1836.601    1.22   1.84666    23.8       27.24  0.6205  -99.966
36         89.675    3.03                         27.31
37          ∞      14.90   1.62041    60.3       27.96  0.5426 2371.111
38      -1476.882    5.50                         30.92
39         87.779    7.61   1.48749    70.2       33.16  0.5300   64.850
40        -48.256    0.20                         33.40
41       -113.704    1.60   1.88300    40.8       32.90  0.5667  -50.945
42         75.650    8.54   1.48749    70.2       32.93  0.5300   59.272
43        -45.265    0.20                         33.39
44        242.283    8.95   1.56732    42.8       32.61  0.5730   44.297
45        -27.834    1.60   1.88300    40.8       32.03  0.5667  -41.331
46       -118.251    0.20                         32.56
47         59.750    6.83   1.48749    70.2       32.32  0.5300   71.520
48        -81.233   14.00                         31.62
49          ∞      33.00   1.60859    46.4       60.00  0.5664    ∞
50          ∞      13.20   1.51633    64.2       60.00  0.5352    ∞
51          ∞     (可変)                         60.00
像面        ∞   
【０１１７】
非球面データ
第17面
K =-2.53234e+004  A 4=-3.38222e-007  A 6=-1.13320e-010  A 8= 1.04282e-013
第19面
K = 5.22565e+003  A 4= 1.38826e-007  A 6=-2.25608e-011  A 8= 7.05801e-015
第25面
K =-3.20598e+000  A 4=-7.86592e-007  A 6=-1.94993e-010  A 8= 1.40774e-014
各種データ
ズーム比    120.00 
焦点距離       9.00    27.72    71.12   356.79  1080.00  
Fナンバー      1.85     1.85     1.85     1.85     5.60  
画角          31.43    11.22     4.42     0.88     0.29  
像高           5.50     5.50     5.50     5.50     5.50  
レンズ全長   657.18   657.18   657.18   657.18   657.18  
BF            12.00    12.00    12.00    12.00    12.00  
d10            3.13    97.13   141.13   177.16   187.42  
d17          297.77   191.44   132.73    57.35     2.03  
d26            3.00    15.34    30.04    69.40   114.46  
d51           12.00    12.00    12.00    12.00    12.00  
入射瞳位置   128.68   416.07   873.88  3239.97 14318.57  
射出瞳位置   306.94   306.94   306.94   306.94   306.94  
前側主点位置 137.95   446.40   962.14  4028.36 19353.29  
後側主点位置   3.00   -15.72   -59.12  -344.78 -1068.00  
ズームレンズ群データ
群  始面    焦点距離  レンズ構成長  前側主点位置  後側主点位置
1    1     248.58       113.27        62.46        -20.56
2   11     -26.00        24.36         4.30        -12.13
3   18      76.00        54.23        13.84        -25.71
4   27      54.93       149.41        67.47         11.36
広角端        中間          望遠端
β２   -0.134        -1.265        -2.525
β３   -0.274        -1.148        -1.741
β４    0.988         0.988         0.988
【０１１８】
［数値実施例４］
面データ
面番号     r        d      nd        νd     有効径   θgF   焦点距離
1    2129.395    6.00   1.80100    35.0    208.05   0.5863  -510.719
2     344.673    2.00                      201.11 
3     346.355   24.55   1.43387    95.1    200.92   0.5373   567.183
4    -839.014   22.52                      200.00 
5     389.319   17.75   1.43387    95.1    195.27   0.5373   763.997
6   -2237.919    0.25                      194.86 
7     279.897   19.03   1.43387    95.1    190.65   0.5373   673.481
8    6158.046    0.25                      189.53 
9     176.118   16.13   1.43875    95.0    177.22   0.5342   727.500
10     380.747  (可変)                      175.48 
11    2885.419    2.00   2.00330    28.3     44.90   0.5980   -44.351
12      44.167    9.11                       39.53 
13     -52.012    2.00   1.88300    40.8     39.14   0.5667   -37.776
14      96.232    8.35   1.94087    17.4     40.47   0.6775    41.405
15     -64.098    0.09                       41.55 
16     -74.481    2.00   1.88300    40.8     41.62   0.5667   -82.049
17*   3416.072  (可変)                       43.27 
18     102.087   13.85   1.56907    71.3     85.54   0.5451   174.085
19*  -3588.372    0.20                       85.63 
20      96.561   13.70   1.49700    81.5     86.02   0.5375   188.659
21   -3428.446    0.20                       85.03 
22     348.188    2.50   1.84666    23.8     83.63   0.6205  -184.503
23     108.208   17.89   1.43875    95.0     80.81   0.5342   150.213
24    -161.104    0.20                       79.59 
25*    211.496    5.03   1.43875    95.0     75.67   0.5342   456.936
26   -4014.724  (可変)                       74.34 
27(絞り)    ∞    5.61                       36.63 
28   -1845.052    1.40   1.81600    46.6     33.59   0.5568   -37.314
29      31.130    0.20                       31.91 
30      27.954    6.43   1.84666    23.8     32.38   0.6205    42.504
31     108.263    7.45                       31.42 
32     -55.071    1.40   1.88300    40.8     29.28   0.5667   -64.753
33   -1313.708    2.01                       29.33 
34   -2773.834    1.80   1.62041    60.3     29.34   0.5426   237.258
35    -140.340    1.56   1.84666    23.8     29.35   0.6205  -136.438
36     694.948    3.03                       29.44 
37       ∞      14.07   1.62041    60.3     29.72   0.5426  -203.170
38     126.547    8.31                       30.63 
39     108.195    6.72   1.48749    70.2     32.82   0.5300    80.690
40     -60.869    0.20                       33.03 
41    -138.367    1.60   1.88300    40.8     32.76   0.5667   -58.384
42      83.385    8.95   1.48749    70.2     32.84   0.5300    59.692
43     -43.348    0.20                       33.36 
44     504.860    8.59   1.56732    42.8     32.55 0.5730      45.993
45     -27.505    1.60   1.88300    40.8     32.04 0.5667     -40.719
46    -118.009    0.20                       32.66 
47      57.454    7.89   1.48749    70.2     32.51 0.5300      68.366
48     -76.402   14.00                       31.66 
49       ∞      33.00   1.60859    46.4     60.00 0.5664       ∞
50       ∞      13.20   1.51633    64.2     60.00 0.5352       ∞
51       ∞                                  60.00 
像面     ∞    
【０１１９】
非球面データ
第17面
K=-2.53234e+004  A 4=-3.62355e-007  A 6=-2.14731e-010  A 8= 1.63676e-013
第19面
K= 5.22565e+003  A 4= 1.08856e-007  A 6=-2.48018e-011  A 8= 7.66860e-015
第25面
K=-5.70319e+000  A 4=-7.40368e-007  A 6=-2.01733e-010  A 8= 1.95906e-014
各種データ
ズーム比    120.00 
広角     中間     望遠
焦点距離       9.00   356.79   1080.00  
Fナンバー      1.85     1.85      5.60  
画角          31.43     0.88      0.29  
像高           5.50     5.50      5.50  
レンズ全長   650.52   650.52    650.52  
BF            12.00    12.00     12.00  
d10            2.44   176.47    186.72  
d17          298.07    57.64      2.33  
d26            3.00    69.40    114.46  
入射瞳位置   125.17   3230.23 14257.94  
射出瞳位置   399.29   399.29    399.29  
前側主点位置 134.38  3915.70  18349.64  
後側主点位置   3.00  -344.79  -1068.00  
ズームレンズ群データ
群  始面    焦点距離  レンズ構成長  前側主点位置  後側主点位置
1    1     248.58       108.48        58.95        -21.72
2   11     -26.00        23.55         3.84        -12.32
3   18      76.00        53.58        13.36        -25.49
4   27      57.62       149.40        67.66         11.33
広角端        中間          望遠端
β２   -0.134        -1.265        -2.525
β３   -0.274        -1.148        -1.741
β４    0.988         0.988         0.988
【０１２０】
［数値実施例５］
面データ
面番号     r        d      nd        νd    有効径    θgF    焦点距離
1    7896.929    6.00   1.83400    37.2   211.49   0.5775    -433.905
2     348.011    2.00                     203.64 
3     345.504   26.03   1.43387    95.1   203.24   0.5373     546.674
4    -745.232   24.47                     202.29 
5     388.160   22.54   1.43387    95.1   198.87   0.5373     599.263
6    -779.545    0.25                     198.57 
7     268.723   17.78   1.43387    95.1   192.50   0.5373     749.091
8    1502.611    0.25                     191.30 
9     176.058   15.43   1.43875    95.0   179.79   0.5342     794.518
10     345.300  (可変)                     178.06 
11     920.754    2.00   2.00330    28.3    45.44   0.5980     -47.720
12      45.823    6.33                      40.18 
13    -208.974    2.00   1.88300    40.8    39.67   0.5667     -30.818
14      31.638    9.55   1.94595    18.0    39.21   0.6545      32.155
15   -1005.578    3.73                      39.39 
16     -60.285    2.00   1.88300    40.8    39.45   0.5667     -65.865
17*   2003.823  (可変)                      41.47 
18     239.266    8.90   1.56907    71.3    82.57   0.5451     399.670
19*  -4869.111    0.20                      83.93 
20      99.548   15.43   1.49700    81.5    88.86   0.5375     167.337
21    -487.999    0.20                      88.65 
22      73.800    2.50   1.84666    23.8    85.52   0.6205    -192.435
23      50.153   24.02   1.43875    95.0    79.45   0.5342     114.284
24   18699.561    0.20                      78.09 
25*     79.222   10.87   1.43875    95.0    74.99   0.5342     170.487
26   -1344.599  (可変)                      73.35 
27(絞り) ∞       2.95                      33.36 
28    -116.136    1.40   1.81600    46.6    32.00   0.5568     -33.538
29      36.240    0.20                      30.54 
30      32.317    5.69   1.84666    23.8    30.77   0.6205      47.626
31     143.868    6.74                      29.92 
32     -56.964    1.40   1.88300    40.8    28.11   0.5667    -102.268
33    -154.548    2.77                      28.16 
34     -64.023    1.80   1.75500    52.3    27.93   0.5476     -62.225
35     181.715    3.38   1.84666    23.8    28.42   0.6205     139.976
36    -347.608    3.03                      28.69 
37       ∞      15.01   1.62041    60.3    29.13   0.5426    -173.397
38     108.003    6.44                      30.43 
39     380.578    7.18   1.48749    70.2    32.23   0.5300      69.036
40     -36.827    0.20                      32.77 
41    -157.843    1.60   1.88300    40.8    32.07   0.5667     -38.927
42      44.480   10.13   1.48749    70.2    31.97   0.5300      43.191
43     -37.230    0.20                      32.61 
44     283.380    8.80   1.56732    42.8    31.74   0.5730      41.513
45     -25.550    1.60   1.88300    40.8    31.24   0.5667     -32.251
46    -243.484    0.20                      32.03 
47      54.265    8.00   1.48749    70.2    32.41   0.5300      54.763
48     -50.339   14.00                      32.04 
49       ∞      33.00   1.60859    46.4    60.00   0.5664      ∞
50       ∞      13.20   1.51633    64.2    60.00   0.5352      ∞
51       ∞                                 60.00 
像面     ∞    
【０１２１】
非球面データ
第17面
K=-2.53234e+004  A 4= 1.87157e-007  A 6=-7.67739e-010  A 8= 9.41364e-013
第19面
K= 5.22565e+003  A 4=-4.49518e-007  A 6= 1.26923e-010  A 8=-1.31489e-014
第25面
K=-2.03560e+000  A 4=-8.64535e-007  A 6= 4.49347e-011  A 8= 1.82895e-014
各種データ
ズーム比    120.00 
広角     中間     望遠
焦点距離       9.00   356.79   1080.00  
Fナンバー      1.85     1.85      5.60  
画角          31.43     0.88      0.29  
像高           5.50     5.50      5.50  
レンズ全長   652.55   652.55    652.55  
BF            12.00    12.00     12.00  
d10            3.58   184.07    195.16  
d17          282.38    50.80      4.99  
d26            3.00    54.08     88.81  
入射瞳位置   128.73  3118.89  12946.69  
射出瞳位置   311.33   311.33    311.33  
前側主点位置 138.00  3900.95  17923.40  
後側主点位置   3.00  -344.78  -1068.00  
ズームレンズ群データ
群  始面    焦点距離  レンズ構成長  前側主点位置  後側主点位置
1    1     254.33       114.73        66.36        -17.68
2   11     -23.50        25.61         6.74         -9.36
3   18      64.25        62.32        18.15        -27.58
4   27      49.61       148.93        60.07         26.51
広角端        中間          望遠端
β２   -0.116        -1.052        -2.090
β３   -0.236        -1.031        -1.572
β４    1.292         1.292         1.292
【０１２２】
【表１】
2010091788.tif 000004
【図面の簡単な説明】
【０１２３】
【図１】数値実施例１の広角端における断面図
【図２】数値実施例１のｆ＝9.3ｍｍにおける収差図
【図３】数値実施例１のｆ＝357ｍｍにおける収差図
【図４】数値実施例１のｆ＝930ｍｍにおける収差図
【図５】数値実施例２の広角端における断面図
【図６】数値実施例２のｆ＝9.3ｍｍにおける収差図
【図７】数値実施例２のｆ＝357ｍｍにおける収差図
【図８】数値実施例２のｆ＝930ｍｍにおける収差図
【図９】数値実施例３の広角端における断面図
【図１０】数値実施例３のｆ＝9ｍｍにおける収差図
【図１１】数値実施例３のｆ＝357ｍｍにおける収差図
【図１２】数値実施例３のｆ＝1080ｍｍにおける収差図
【図１３】数値実施例４の広角端における断面図
【図１４】数値実施例４のｆ＝9ｍｍにおける収差図
【図１５】数値実施例４のｆ＝357ｍｍにおける収差図
【図１６】数値実施例４のｆ＝1080ｍｍにおける収差図
【図１７】数値実施例５の広角端における断面図
【図１８】数値実施例５のｆ＝9ｍｍにおける収差図
【図１９】数値実施例５のｆ＝357ｍｍにおける収差図
【図２０】数値実施例５のｆ＝1080ｍｍにおける収差図
【図２１】２色の色消しと二次スペクトル残存に関する模式図
【図２２】２色の色消しと二次スペクトル残存に関する模式図
【図２３】アッベ数と部分分散比との関係を示す模式図
【図２４】本発明の撮像装置の要部概略図
【図２５】数値実施例１の広角端（ｆ＝9.3ｍｍ）における光路図
【図２６】数値実施例１の望遠端（ｆ＝930ｍｍ）における光路図
【符号の説明】
【０１２４】
Ｕ１      第１レンズ群
Ｕ２      第２レンズ群
Ｕ３      第３レンズ群
Ｕ４      第４レンズ群
ＳＰ      絞り
Ｐ        色分解プリズムや光学フィルターを示すガラスブロック
ＩＰ      撮像面
１０１    ズームレンズ
Ｆ        第１レンズ群
ＬＺ      変倍部
Ｒ        第４レンズ群
１０９    ガラスブロック
１１０    撮像素子
１２４    カメラ
１２５    撮像装置
【図１】
2010091788.tif 000005
【図２】
2010091788.tif 000006
【図３】
2010091788.tif 000007
【図４】
2010091788.tif 000008
【図５】
2010091788.tif 000009
【図６】
2010091788.tif 000010
【図７】
2010091788.tif 000011
【図８】
2010091788.tif 000012
【図９】
2010091788.tif 000013
【図１０】
2010091788.tif 000014
【図１１】
2010091788.tif 000015
【図１２】
2010091788.tif 000016
【図１３】
2010091788.tif 000017
【図１４】
2010091788.tif 000018
【図１５】
2010091788.tif 000019
【図１６】
2010091788.tif 000020
【図１７】
2010091788.tif 000021
【図１８】
2010091788.tif 000022
【図１９】
2010091788.tif 000023
【図２０】
2010091788.tif 000024
【図２１】
2010091788.tif 000025
【図２２】
2010091788.tif 000026
【図２３】
2010091788.tif 000027
【図２４】
2010091788.tif 000028
【図２５】
2010091788.tif 000029
【図２６】
2010091788.tif 000030